(57)【要約】【課題】  関心地点を表示するための方法及び装置を提供する。【解決手段】  本発明は、関心地点を表示するための方法及び装置を提供する。本発明の実施形態において、目標対象の位置を取得し、次に、その位置における可視関心地点を目標関心地点として決定することによって、目標関心地点を表示することができる。目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができる。したがって、ユーザがアプリケーションを介して繰り返し問い合わせることによって引き起こされる、アプリケーションと問い合わせエンジンとの間におけるデータ対話の増加という先行技術の問題は、回避され、それによって、問い合わせエンジンの処理負担を低減することができる。【選択図】      図１
2016024806.tif 000002
【特許請求の範囲】
【請求項１】
関心地点を表示するための方法であって、
目標対象の位置を取得するステップと、
前記位置における可視関心地点を目標関心地点として決定するステップと、
前記目標関心地点を表示するステップと、
を含むことを特徴とする、方法。
【請求項２】
前記位置における可視関心地点を目標関心地点として決定する前記ステップに先立って、
処理されるストリートビュー画像を取得するステップと、
認識結果を取得するために前記ストリートビュー画像に対して認識処理を実行するステップであって、前記認識結果が、前記ストリートビュー画像に関するテキスト情報を含むステップと、
前記テキスト情報と一致する候補関心地点を可視関心地点として選択するステップと、
を更に含むことを特徴とする、請求項１に記載の方法。
【請求項３】
前記テキスト情報と一致する候補関心地点を可視関心地点として選択する前記ステップが、
前記テキスト情報と、照合される候補関心地点との間の類似度を取得するステップと、
前記類似度に従って、幾つかの候補関心地点を可視関心地点として選択するステップと、
を含むことを特徴とする、請求項２に記載の方法。
【請求項４】
前記テキスト情報と一致する候補関心地点を可視関心地点として選択する前記ステップの後で、
前記可視関心地点と一致する前記テキスト情報が属するストリートビュー画像の収集場所に関する地理的位置情報を取得するステップと、
前記可視関心地点と一致する前記テキスト情報が属する前記ストリートビュー画像の前記収集場所から前記可視関心地点までの方位角を取得するステップと、
前記収集場所に関する前記地理的位置情報及び前記方位角に従って、前記可視関心地点に関する計算された地理的位置情報を取得するステップと、
前記可視関心地点に関する前記計算された地理的位置情報及び前記可視関心地点に関する標準地理的位置情報に従って、前記可視関心地点を検証するステップと、
を更に含むことを特徴とする、請求項２に記載の方法。
【請求項５】
前記目標関心地点を表示する前記ステップが、
マップラベリング、画像、及びテキストの少なくとも１つを介して前記目標関心地点を表示することを含むことを特徴とする、請求項１〜４のいずれか一項に記載の方法。
【請求項６】
関心地点を表示するための装置であって、
目標対象の位置を取得するための取得ユニットと、
前記位置における可視関心地点を目標関心地点として決定するための決定ユニットと、
前記目標関心地点を表示するための表示ユニットと、
を含むことを特徴とする装置。
【請求項７】
前記装置が、
処理されるストリートビュー画像を取得するため、
前記ストリートビュー画像に関するテキスト情報を含む認識結果を取得するために、前記ストリートビュー画像に対して認識処理を実行するため、及び
前記テキスト情報と一致する候補関心地点を可視関心地点として選択するため
の関連付けユニットを更に含むことを特徴とする、請求項６に記載の装置。
【請求項８】
前記関連付けユニットが、
前記テキスト情報と、照合される候補関心地点との間の類似度を取得するために、且つ
前記類似度に従って、幾つかの候補関心地点を可視関心地点として選択するために
特に使用されることを特徴とする、請求項７に記載の装置。
【請求項９】
前記装置が、
前記可視関心地点と一致する前記テキスト情報が属するストリートビュー画像の収集場所に関する地理的位置情報を取得するための、
前記可視関心地点と一致する前記テキスト情報が属する前記ストリートビュー画像の前記収集場所から前記可視関心地点までの方位角を取得するための、
前記収集場所に関する前記地理的位置情報及び前記方位角に従って、前記可視関心地点に関する計算された地理的位置情報を取得するための、且つ
前記可視関心地点に関する前記計算された地理的位置情報及び前記可視関心地点に関する標準地理的位置情報に従って、前記可視関心地点を検証するための
検証ユニットを更に含むことを特徴とする、請求項７に記載の装置。
【請求項１０】
前記表示ユニットが、
マップラベリング、画像、及びテキストの少なくとも１つを介して前記目標関心地点を表示するために特に使用されることを特徴とする、請求項６〜９のいずれか一項に記載の装置。
【発明の詳細な説明】
【技術分野】
【０００１】
本発明は、位置情報サービス（ＬＢＳ）技術に関し、特に、関心地点（ＰＯＩ）を表示するための方法及び装置に関する。
【背景技術】
【０００２】
通信技術の発展と共に、端末は、ますます多くの機能を統合し、その結果、端末のシステム機能リストは、ますます多くの対応するアプリケーション（ＡＰＰ）を含む。アプリケーションの幾つかは、百度地図など、位置サービスとも呼ばれる幾つかの位置情報サービス（ＬＢＳ）に関係する場合がある。ＬＢＳにおいて、アプリケーションに対応するサーバ側は、アプリケーション即ちクライアント側のためのＬＢＳ問い合わせに基づいて問い合わせ結果を提供するために、大量の関心地点（ＰＯＩ）データを記憶する。関心地点データは、名前情報、カテゴリ情報、及び地理的位置情報（即ち経度及び緯度等）などの幾つかの側面の情報を含んでも良い。
【０００３】
しかしながら、幾つかの場合に、例えば、関心地点の内部を入力したオペレータによって収集された他の関心地点が、実際の道路を移動しているユーザによって観察され得ない場合に、実際の道路を移動しているユーザは、端末によって表示された関心地点の実際の位置を観察できず、その結果、端末によって表示された関心地点は、ユーザの真の位置探知目的を満たすことができず、ユーザは、アプリケーションを介して繰り返し位置探知操作を実行する必要があり、したがって、アプリケーションと問い合わせエンジンとの間のデータ対話が増加し、問い合わせエンジンの処理負担の増加に帰着する可能性がある。
【発明の概要】
【課題を解決するための手段】
【０００４】
問い合わせエンジンの処理負担を低減するために、関心地点（ＰＯＩ）を表示するための方法及び装置が、本発明の複数の態様において提供される。
【０００５】
関心地点を表示するための方法であって、
目標対象の位置を取得するステップと、
その位置における可視関心地点を目標関心地点として決定するステップと、
目標関心地点を表示するステップと、
を含む方法が、本発明の一態様において提供される。
【０００６】
上記のような態様及び任意の可能な実装形態は、実装形態であって、その位置における可視関心地点を目標関心地点として決定するステップに先立って、方法が、
処理されるストリートビュー画像を取得するステップと、
認識結果を取得するために、ストリートビュー画像に対して認識処理を実行するステップであって、認識結果が、ストリートビュー画像に関するテキスト情報を含むステップと、
テキスト情報と一致する候補関心地点を可視関心地点として選択するステップと、
を更に含む実装形態を更に提供する。
【０００７】
上記のような態様及び任意の可能な実装形態は、実装形態であって、テキスト情報と一致する候補関心地点を可視関心地点として選択するステップが、
テキスト情報と、照合される候補関心地点との間の類似度を取得するステップと、
類似度に従って、幾つかの候補関心地点を可視関心地点として選択するステップと、
を含む実装形態を更に提供する。
【０００８】
上記のような態様及び任意の可能な実装形態は、実装形態であって、テキスト情報と一致する候補関心地点を可視関心地点として選択するステップの後で、方法が、
可視関心地点と一致するテキスト情報が属するストリートビュー画像の収集場所に関する地理的位置情報を取得するステップと、
可視関心地点と一致するテキスト情報が属するストリートビュー画像の収集場所から可視関心地点までの方位角を取得するステップと、
収集場所に関する地理的位置情報及び方位角に従って、可視関心地点に関する計算された地理的位置情報を取得するステップと、
可視関心地点に関する計算された地理的位置情報及び可視関心地点に関する標準地理的位置情報に従って、可視関心地点を検証するステップと、
を更に含む実装形態を更に提供する。
【０００９】
上記のような態様及び任意の可能な実装形態は、実装形態であって、目標関心地点を表示するステップが、マップラベリング、画像、及びテキストの少なくとも１つを介して目標関心地点を表示することを含む実装形態を更に提供する。
【００１０】
関心地点を表示するための装置であって、
目標対象の位置を取得するための取得ユニットと、
その位置における可視関心地点を目標関心地点として決定するための決定ユニットと、
目標関心地点を表示するための表示ユニットと、
を含む装置が、本発明の別の態様において提供される。
【００１１】
上記のような態様及び任意の可能な実装形態は、実装形態であって、装置が、
処理されるストリートビュー画像を取得するための、
ストリートビュー画像に関するテキスト情報を含む認識結果を取得するために、ストリートビュー画像に対して認識処理を実行するための、且つ
テキスト情報と一致する候補関心地点を可視関心地点として選択するための
関連付けユニットを更に含む実装形態を更に提供する。
【００１２】
上記のような態様及び任意の可能な実装形態は、実装形態であって、関連付けユニットが、
テキスト情報と、照合される候補関心地点との間の類似度を取得するために、且つ
類似度に従って、幾つかの候補関心地点を可視関心地点として選択するために
特に使用される実装形態を更に提供する。
【００１３】
上記のような態様及び任意の可能な実装形態は更に一実装形態を提供し、装置が、
可視関心地点と一致するテキスト情報が属するストリートビュー画像の収集場所に関する地理的位置情報を取得するための、
可視関心地点と一致するテキスト情報が属するストリートビュー画像の収集場所から可視関心地点までの方位角を取得するための、
収集場所に関する地理的位置情報及び方位角に従って、可視関心地点に関する計算された地理的位置情報を取得するための、且つ
可視関心地点に関する計算された地理的位置情報及び可視関心地点に関する標準地理的位置情報に従って、可視関心地点を検証するための
検証ユニットを更に含む。
【００１４】
上記のような態様及び任意の可能な実装形態は、実装形態であって、表示ユニットが、マップラベリング、画像、及びテキストの少なくとも１つを介して目標関心地点を表示するために特に使用される実装形態を更に提供する。
【００１５】
上記の技術的解決法から、次のことが分かる。即ち、本発明の実施形態において、目標対象の位置を取得し、次に、その位置における可視関心地点を目標関心地点として決定することによって、目標関心地点を表示できることが分かる。目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができる。したがって、ユーザがアプリケーションを介して繰り返し問い合わせることによって引き起こされる、アプリケーションと問い合わせエンジンとの間におけるデータ対話の増加という先行技術の問題は、回避され、それによって、問い合わせエンジンの処理負担を低減することができる。
【００１６】
更に、本発明において提供される技術的解決法を用いることによって、目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができ、位置探知結果の妥当性は、効果的に改善することができる。
【００１７】
更に、本発明において提供される技術的解決法を用いることによって、目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができ、位置特定の効率は、効果的に改善することができる。
【００１８】
本発明の実施形態における技術的解決法をより明確に示すために、実施形態又は先行技術の説明での使用のために必要とされる添付の図面が、以下で簡潔に導入される。明らかに、以下の説明における添付の図面は、本発明の幾つかの実施形態であり、当業者は、発明的な努力をせずに、これらの添付の図面に従って他の図面を更に取得し得る。
【図面の簡単な説明】
【００１９】
【図１】本発明の実施形態において提供される、関心地点を表示するための方法の概略フローチャート
【図２】図１に対応する実施形態におけるストリートビュー画像のエリア構成概略図
【図３】図１に対応する実施形態におけるストリートビュー画像の認識エリア概略図
【図４】図１に対応する実施形態における、可視関心地点と一致するテキスト情報が属するストリートビュー画像の収集場所から可視関心地点までの方位角の計算概略図
【図５】本発明の別の実施形態において提供される、関心地点を表示するための装置の構造概略図
【図６】本発明の別の実施形態において提供される、関心地点を表示するための装置の構造概略図
【図７】本発明の別の実施形態において提供される、関心地点を表示するための装置の構造概略図
【図８】図１に対応する実施形態における最小認識単位の画像概略図
【発明を実施するための形態】
【００２０】
本発明の実施形態の目的、技術的解決法、及び利点をより明確にするために、本発明の実施形態における技術的解決法は、本発明の実施形態における添付の図面と組み合わせて、以下で明確に徹底的に説明される。明らかに、説明される実施形態は、全ての実施形態ではなく、本発明の実施形態の一部である。発明的な努力をせずに、本発明における実施形態に基づいて当業者によって得られる全ての他の実施形態は、本発明の保護の範囲内にある。
【００２１】
本発明の実施形態に関連する端末が、限定するわけではないが、携帯電話、携帯情報端末（ＰＤＡ）、無線ハンドヘルド装置、無線ネットブック、パーソナルコンピュータ、ポータブルコンピュータ、タブレットコンピュータ、ＭＰ３プレーヤ、ＭＰ４プレーヤ、ウェアラブルデバイス（スマートメガネ、スマートウォッチ、及びスマートバンドなど）等を含んでも良いことが明白にされなければならない。
【００２２】
更に、本明細書における用語「及び／又は」は、単に、関連する対象を示す対応関係であり、且つ３つの関係が存在しても良いことを示す。例えば、Ａ及び／又はＢは、３つの場合、即ち、Ａだけが存在する、Ａ及びＢが同時に存在する、並びにＢだけが存在する３つの場合を表しても良い。更に、本明細書における文字「／」は、一般に、関連する対象間の「又は」の関係を示す。
【００２３】
図１は、図１に示されているように、本発明の実施形態において提供される、関心地点を表示するための方法の概略フローチャートである。
【００２４】
１０１．目標対象の位置が取得される。
【００２５】
１０２．その位置における可視関心地点が、目標関心地点として決定される。
【００２６】
１０３．目標関心地点が表示される。
【００２７】
１０１〜１０３の実行体が、ローカル端末に位置するアプリケーションであっても良く、またローカル端末に位置するアプリケーションに配置されたプラグイン若しくはソフトウェア開発キット（ＳＤＫ）などの機能ユニットであっても良く、又は同様にネットワーク側サーバに位置する問い合わせエンジンであっても良いことが明白にされなければならない。この実施形態は、この点で特定の限定を課さない。
【００２８】
アプリケーションが、端末にインストールされたアプリケーションプログラム（ネイティブアプリケーション）であっても良く、又は同様に端末上のブラウザのウェブページプログラム（ウェブアプリケーション）であっても良いことが理解される。この実施形態は、この点で限定を課さない。
【００２９】
したがって、目標対象の位置を取得し、次にその位置における可視関心地点を目標関心地点として決定することによって、目標関心地点を表示することができる。目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができる。したがって、ユーザがアプリケーションを介して繰り返し問い合わせることによって引き起こされる、アプリケーションと問い合わせエンジンとの間におけるデータ対話の増加という先行技術の問題は、回避され、それによって問い合わせエンジンの処理負担を低減することができる。
【００３０】
任意選択的に、この実施形態の可能な実装形態において、１０１で、様々な既存の位置特定技術が、目標対象の位置探知結果、即ち目標対象の位置に関する地理的位置情報を取得するために特に用いられても良い。この実施形態は、この点で限定を課さない。例えば、全地球測位システム（ＧＰＳ）技術、ワイヤレスフィデリティ（Ｗｉ−Ｆｉ）位置特定技術、又は基地局位置特定技術などの位置特定技術である。
【００３１】
任意選択的に、この実施形態の可能な実装形態において、１０２の前に、処理されるストリートビュー画像が、更に取得されても良く、次に認識処理が、認識結果を取得するためにストリートビュー画像に対して実行され、認識結果は、ストリートビュー画像に関するテキスト情報を含む。次に、テキスト情報と一致する候補関心地点が、可視関心地点として選択されても良い。
【００３２】
具体的には、光学式文字認識（ＯＣＲ）処理が、認識結果を取得するために、ストリートビュー画像に対して特に実行され、認識結果は、ストリートビュー画像に関するテキスト情報を含む。ＯＣＲ処理の詳細な説明のために、先行技術における関連内容が特に参照されても良いが、それは、本明細書では説明されない。
【００３３】
一般に、ストリートビュー画像は、収集車両が実際の道路に沿って移動する過程で撮られる実際の道路及び実際の道路の両側における実体の画像であり、且つ３６０度のパノラマ画像であり、各収集場所におけるストリートビュー画像は、図２に示されているように、通常、４×８（３２）画像で等しく構成することができる。
【００３４】
この実施形態において、不必要で無効な認識を回避するために、認識される認識エリアは、取得されるテキスト情報の位置に従って特に決定されても良い。
【００３５】
例えば、取得されるテキスト情報が、店の看板上の言葉である場合に、店の看板は通常、路面から或る高さの位置で水平に配置されているか又は路面に近い位置で垂直に配置されているので、図３における斜線部分だけが、認識される必要がある。
【００３６】
更に、認識処理の精度を改善するために、認識される認識エリアは、９０度などの指定された角度間隔でブロックに特に分割されても良く、隣接ブロックの画像は、認識処理の最小認識単位として指定ブロック数を取得するために、５０％重複される。認識処理は、各ブロックに関するテキスト情報を取得するために、各ブロックに対してそれぞれ特に実行されても良い。図８に示されているように、図８に示されている画像は、最小認識単位であり、その画素サイズは、１９２０×１０８０である。図８に示されている画像に関し、認識結果は、順に
2016024806.tif 000003
であり得る。
【００３７】
具体的には、テキスト情報と、照合される候補関心地点との間の類似度が、特に取得されても良く、次に、幾つかの候補関心地点が、類似度に従って可視関心地点として選択される。
【００３８】
照合される候補関心地点は、処理されるストリートビュー画像の収集場所近くの幾つかの関心地点を指す。具体的には、収集場所の位置に従って、この位置を中心とする、且つ事前設定された範囲内のエリアにおける関心地点が、照合される候補関心地点として特に採用されても良い。
【００３９】
例えば、テキスト情報のキーワードが抽出され、候補関心地点のキーワードが抽出され、次に、テキスト情報のキーワードと候補関心地点のキーワードとの間の類似度が計算される。類似度が、事前設定された閾値以上である場合に、対応する候補点が、可視関心地点として採用されても良く、そうでなければ、対応する候補関心地点は、無視されても良い。即ち、対応する候補関心地点を可視関心地点として採用する可能性を除外しても良い。
【００４０】
この実施形態において、可視関心地点として選択された候補関心地点は、候補関心地点が可視関心地点であることを示すために特にマークされても良い。この実施形態は、この点で特定の限定を課さない。例えば、フィールド、即ち属性情報が、候補関心地点が可視関心地点であることを示すために、候補関心地点の関心地点データに追加される。即ち、可視関心地点の関心地点データは、限定するわけではないが、関心地点に関する名前情報、関心地点に関するカテゴリ情報、並びに関心地点に関する地理的位置情報及び属性情報を含んでも良い。この実施形態は、この点で特定の限定を課さない。
【００４１】
任意選択的に、この実施形態の可能な実装形態において、１０３後に、可視関心地点と一致するテキスト情報が属するストリートビュー画像の収集場所に関する地理的位置情報が更に取得されても良く、可視関心地点と一致するテキスト情報が属するストリートビュー画像の収集場所から可視関心地点までの方位角が取得される。したがって、可視関心地点に関する計算された地理的位置情報が、収集場所に関する地理的位置情報及び方位角に従って取得されても良い。次に、可視関心地点は、可視関心地点に関する計算された地理的位置情報及び可視関心地点に関する標準地理的位置情報に従って、検証されても良い。
【００４２】
「可視関心地点と一致するテキスト情報が属するストリートビュー画像の収集場所に関する地理的位置情報を取得する」ステップを実行するため、及び「可視関心地点と一致するテキスト情報が属するストリートビュー画像の収集場所から可視関心地点までの方位角を取得する」ステップを実行するための固定シーケンスは存在しない。「可視関心地点と一致するテキスト情報が属するストリートビュー画像の収集場所に関する地理的位置情報を取得する」ステップが最初に実行され、「可視関心地点と一致するテキスト情報が属するストリートビュー画像の収集場所から可視関心地点までの方位角を取得する」ステップが次に実行されてもよいし、「可視関心地点と一致するテキスト情報が属するストリートビュー画像の収集場所に関する地理的位置情報を取得する」ステップが、「可視関心地点と一致するテキスト情報が属するストリートビュー画像の収集場所から可視関心地点までの方位角を取得する」ステップが実行されている間に実行されてもよいし、「可視関心地点と一致するテキスト情報が属するストリートビュー画像の収集場所から可視関心地点までの方位角を取得する」ステップが最初に実行され、「可視関心地点と一致するテキスト情報が属するストリートビュー画像の収集場所に関する地理的位置情報を取得する」ステップが次に実行されてもよい。この実施形態は、この点で特定の限定を課さない。
【００４３】
特に、認識結果は、ストリートビュー画像に関するテキスト情報とは別に、ストリートビュー画像に関するテキスト情報に関する画素位置情報を更に含んでも良い。
【００４４】
テキスト情報に関する画素位置情報は、テキスト情報に対応するエリア範囲の位置を示すために使用される。具体的には、テキスト情報に関する画素位置情報は、［ｘ１、ｙ１、ｘ２、ｙ２］とマークされた、テキスト情報に対応するエリアにおける対角線の２つの頂点の画素座標で特に表されても良く、ここで［ｘ１、ｙ１］は、一頂点の画素座標であり、［ｘ２、ｙ２］は、もう一方の頂点の画素座標である。図８に示されているように、図８に示されている画像は、最小認識単位であり、その画素サイズは、１９２０×１０８０である。図８に示されている画像に関し、認識結果は、順に
2016024806.tif 000004
であり得る。
【００４５】
続く計算プロセスにおいて、テキスト情報に関する画素位置情報の計算操作が含まれる場合に、一位置の画素座標は、例えば中心点の画素座標など、テキスト情報に対応するエリア範囲内で計算用にランダムに選択されても良いことが理解される。
【００４６】
したがって、図４に示されているように、可視関心地点と一致するテキスト情報に関する画素位置情報、即ちＰ０（ｘ０、ｙ０）と、テキスト情報が属する最小認識単位に関する画素情報、即ちＸ×Ｙと、テキスト情報が属する最小認識単位に対応する撮影角度範囲θと、に従って、テキスト情報が属するストリートビュー画像の収集場所から可視関心地点までの方位角Ψが、特に取得されても良い。方位角Ψの詳細な計算プロセスのための先行技術における関連内容が特に参照されても良いが、それは、本明細書では説明されない。
【００４７】
例えば、可視関心地点Ｐと一致するテキスト情報が、１つのストリートビュー画像Ａにだけ属する場合に、可視関心地点Ｐに関する計算される地理的位置情報は、ストリートビュー画像Ａの収集場所Ａに関する地理的位置情報及び収集場所Ａから可視関心地点Ｐまでの方位角ΨＡ、並びに収集場所Ａが位置する実際の道路に関する地理的位置情報に従って、計算されても良い。
【００４８】
代替として、別の例に関し、可視関心地点Ｐと一致するテキスト情報が、少なくとも２つのストリートビュー画像Ｂ及びＣに属する場合に、可視関心地点Ｐに関する計算される地理的位置情報は、ストリートビュー画像Ｂの収集場所Ｂに関する地理的位置情報及び収集場所Ｂから可視関心地点Ｐまでの方位角ΨＢ、並びにストリートビュー画像Ｃの収集場所Ｃに関する地理的位置情報及び収集場所Ｃから可視関心地点Ｐまでの方位角ΨＣに従って、計算されても良い。
【００４９】
具体的には、可視関心地点に関する計算された地理的位置情報と可視関心地点に関する標準地理的位置情報との間の位置差値が、事前設定された閾値以下である場合に、これは、検証操作が成功であることを示し、そうでなければ、これは、検証操作が失敗したことを示す。可視関心地点に関する標準地理的位置情報は、ＰＯＩデータベースに記憶された可視関心地点の関心地点データにおける地理的位置情報を指す。
【００５０】
検証操作が失敗した場合に、複数の調整操作が、特に実行されても良い。例えば、可視関心地点に関する標準地理的位置情報は、可視関心地点に関する計算された地理的位置情報と取り替えられる。代替として、別の例に関し、可視関心地点のこの選択結果は、削除される。即ち、可視関心地点は、依然として、通常の候補関心地点として捉えられる。
【００５１】
任意選択的に、この実施形態の可能な実装形態において、１０３では、目標関心地点は、マップラベリング、画像、及びテキストの少なくとも１つを介して特に表示されても良い。
【００５２】
例えば、目標関心地点に関する名前情報は、マップラベリング法で、電子地図上においてユーザに特に表示されても良い。
【００５３】
代替として、別の例に関し、目標関心地点が位置しているストリートビュー画像は、画像の形式で電子地図又は他のインターフェース上においてユーザに特に表示されても良い。
【００５４】
代替として、別の例に関し、目標関心地点に関する名前情報及び説明情報は、テキストの形式で電子地図又は他のインターフェース上においてユーザに特に表示されても良い。
【００５５】
この実施形態において、目標対象の位置を取得すること、及び次にその位置における可視関心地点を目標関心地点として決定することによって、目標関心地点を表示することができる。目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができる。したがって、ユーザがアプリケーションを介して繰り返し問い合わせることによって引き起こされる、アプリケーションと問い合わせエンジンとの間におけるデータ対話の増加という先行技術の問題は、回避され、それによって、問い合わせエンジンの処理負担を低減することができる。
【００５６】
更に、本発明で提供される技術的解決法を用いることによって、目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができ、位置探知結果の妥当性は、効果的に改善することができる。
【００５７】
更に、本発明で提供される技術的解決法を用いることによって、目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができ、位置特定の効率は、効果的に改善することができる。
【００５８】
前述の方法実施形態に関し、単純な説明のために、方法は、一連の動作の組み合わせとして説明されるが、しかし当業者は、本発明が、説明される動作シーケンスに限定されないことを知っているものとすることが明白にされなければならない。何故なら、本発明によれば、幾つかのステップは、他のシーケンスで実行されても、又は同時に実行されても良いからである。第２に、当業者はまた、この記載において説明されている実施形態が、全て、好ましい実施形態であり、含まれる動作及びモジュールが、必ずしも本発明において必須ではないことを知るべきである。
【００５９】
上記の実施形態において、各実施形態の説明は、それ自体の強調点を有し、詳述されない或る実施形態の一部に関し、他の実施形態の関連説明を参照することができる。
【００６０】
図５に示されているように、図５は、本発明の別の実施形態で提供される、関心地点を表示するための装置の構造概略図である。この実施形態において関心地点を表示するための装置は、取得ユニット５１、決定ユニット５２、及び表示ユニット５３を含んでも良い。取得ユニット５１は、目標対象の位置を取得するために使用される。決定ユニット５２は、その位置における可視関心地点を目標関心地点として決定するために使用される。表示ユニット５３は、目標関心地点を表示するために使用される。
【００６１】
この実施形態において提供される、関心地点を表示するための装置が、ローカル端末に位置するアプリケーションであっても良く、またローカル端末に位置するアプリケーションに配置されたプラグイン若しくはソフトウェア開発キット（ＳＤＫ）などの機能ユニットであっても良く、又は同様にネットワーク側サーバに位置する問い合わせエンジンであっても良いことが、明白にされなければならない。この実施形態は、この点で特定の限定を課さない。
【００６２】
アプリケーションが、端末にインストールされたアプリケーションプログラム（ネイティブアプリケーション）であっても良く、又は同様に端末上のブラウザのウェブページプログラム（ウェブアプリケーション）であっても良いことが理解される。この実施形態は、この点で限定を課さない。
【００６３】
図６に示されているように、任意選択的に、この実施形態の可能な実装形態において、この実施形態で提供される、関心地点を表示するための装置は、処理されるストリートビュー画像を取得するための、認識結果、即ちストリートビュー画像に関するテキスト情報を含む認識結果を取得するためにストリートビュー画像に対して認識処理を実行するための、且つテキスト情報と一致する候補関心地点を可視関心地点として選択するための関連付けユニット６１を更に含んでも良い。
【００６４】
具体的には、関連付けユニット６１は、テキスト情報と、照合される候補関心地点との間の類似度を取得するために、且つ類似度に従って、幾つかの候補関心地点を可視関心地点として選択するために特に使用されても良い。
【００６５】
更に、図７に示されているように、この実施形態において提供される、関心地点を表示するための装置は、可視関心地点と一致するテキスト情報が属するストリートビュー画像の収集場所に関する地理的位置情報の取得のための、可視関心地点と一致するテキスト情報が属するストリートビュー画像の収集場所から可視関心地点までの方位角を取得するための、収集場所に関する地理的位置情報及び方位角に従って、可視関心地点に関する計算された地理的位置情報を取得するための、且つ可視関心地点に関する計算された地理的位置情報及び可視関心地点に関する標準地理的位置情報に従って、可視関心地点を検証するための検証ユニット７１を更に含んでも良い。
【００６６】
任意選択的に、この実施形態の可能な実装形態において、表示ユニット５３は、マップラベリング、画像、及びテキストの少なくとも１つを介して目標関心地点を表示するために特に使用されても良い。この実施形態は、この点で特定の限定を課さない。
【００６７】
図１に対応する実施形態における方法が、この実施形態において提供される、関心地点を表示するための装置によって実現されても良いことが明白にされなければならない。詳細な説明のために、図１に対応する実施形態における関連内容が参照されても良いが、それは、ここでは繰り返さない。
【００６８】
この実施形態において、目標対象の位置を取得する取得ユニット、及び次にその位置における可視関心地点を目標関心地点として決定する決定ユニットによって、表示ユニットは、目標関心地点を表示することができる。目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができる。したがって、ユーザがアプリケーションを介して繰り返し問い合わせることによって引き起こされる、アプリケーションと問い合わせエンジンとの間におけるデータ対話の増加という先行技術の問題は、回避され、それによって問い合わせエンジンの処理負担を低減することができる。
【００６９】
更に、本発明において提供される技術的解決法を用いることによって、目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができ、位置探知結果の妥当性は、効果的に改善することができる。
【００７０】
更に、本発明において提供される技術的解決法を用いることによって、目標対象の位置で見ることができない不可視関心地点が、もはや表示されないが、しかし目標対象の位置で見ることができる可視関心地点が表示されるので、表示された関心地点は、ユーザの真の位置探知目的を実質的に満たすことができ、位置特定の効率は、効果的に改善することができる。
【００７１】
説明の便宜及び簡潔さのために、上記のシステム、装置、及びユニットの特定の操作プロセスに関する情報が、上記の方法実施形態における対応するプロセスを参照することによって発見できることを、当業者は明確に理解し得るであろうから、それは、ここでは説明されない。
【００７２】
本発明において提供される幾つかの実施形態において、開示されるシステム、装置、及び方法が、他のやり方で実施され得ることが理解されるものとする。例えば、上記の装置実施形態は、単に実例であり、例えば、ユニットの分割は、単に論理機能分割であり、実際の実装形態において、他の分割形態が存在しても良く、例えば、複数のユニット若しくはコンポーネントは、別のシステムに組み合わされても、若しくは統合されても良く、又は幾つかの特徴は、省略されても、若しくは実行されなくても良い。別の点は、図示されるか又は説明される結合、直接結合、又は通信接続が、インターフェース、装置、又はユニットを介した間接結合又は通信接続であっても良く、且つ電気的、機械的、又は他の形態であっても良いことである。
【００７３】
別個のコンポーネントとして説明されるユニットは、物理的に分離されていても、されていなくても良く、ユニットとして表示されるコンポーネントは、物理的ユニットであっても、なくても良く、即ち、１つの位置に位置しても良く、又は同様に複数のネットワーク要素上に分散されても良い。ユニットの幾つか又は全ては、本実施形態の解決法の目的を達成するために、実際の必要に従って選択されても良い。
【００７４】
更に、本発明の様々な実施形態における様々な機能ユニットは、１つの処理ユニットに統合されても良く、ユニットのそれぞれはまた、物理的に単独で存在しても良く、又は２以上のユニットが、１つのユニットに統合されても良い。上記の統合ユニットは、ハードウェアの形で実現されても良く、又は同様にソフトウェア機能ユニットを備えたハードウェアの形で実現されても良い。
【００７５】
ソフトウェア機能ユニットの形で実現された上記の統合ユニットは、コンピュータ可読記憶媒体に記憶されても良い。ソフトウェア機能ユニットは、記憶媒体に記憶され、且つコンピュータデバイス（パーソナルコンピュータ、サーバ若しくはネットワークデバイスなどにすることができる）又はプロセッサに、本発明の実施形態で説明されている方法の幾つかのステップを実行させるための幾つかの命令を含む。前述の記憶媒体は、ＵＳＢスティック、リムーバブルハードディスク、読み取り専用メモリ（ＲＯＭ）、ランダムアクセスメモリ（ＲＡＭ）、磁気ディスク、又は光ディスクなど、プログラムコードを記憶できる様々な媒体を含む。
【００７６】
最後に、上記の実施形態が、本発明を限定するのではなく、単に、本発明の技術的解決法を説明するために使用されることと、本発明が、前述の実施形態に関連して詳細に説明されているが、当業者は、自らが、様々な前述の実施形態において述べられた技術的解決法に対して修正し、又はそれらにおける幾つかの技術的特徴の等価な置き換えをなし得ることを理解するものとすることと、これらの修正又は置き換えが、対応する技術的解決法の本質を、本発明の様々な実施形態の技術的解決法の趣旨及び範囲から逸脱させるものではないこととが、明白にされるべきである。
【符号の説明】
【００７７】
５１  取得ユニット
５２  決定ユニット
５３  表示ユニット
６１  関連付けユニット
７１  検証ユニット
【図１】
2016024806.tif 000005
【図２】
2016024806.tif 000006
【図３】
2016024806.tif 000007
【図４】
2016024806.tif 000008
【図５】
2016024806.tif 000009
【図６】
2016024806.tif 000010
【図７】
2016024806.tif 000011
【図８】
2016024806.tif 000012
【外国語明細書】
2016024806000001.pdf